(57)【要約】      （修正有）【課題】携帯性が良く、取り扱いが容易であることを特徴とする、香料の保存容器、芳香剤および、芳香剤の製造方法を提供する。【解決手段】香料を保存する部分が貫通孔である細孔２を有している基材１と、前記細孔２を覆うように前記基材１に積層したシール状の遮蔽体４、５とからなる容器、前記容器に香料を注入した芳香剤及び前記容器と芳香剤の製造方法。【選択図】図１
2011224276.tif 000002
【特許請求の範囲】
【請求項１】
香料を保存する部分が貫通孔である細孔を有している基材と、
前記細孔を覆うように前記基材に積層したシール状の遮蔽体とからなることを特徴とする容器。
【請求項２】
前記細孔の半径が、０．５ｍｍ〜１０ｍｍであることを特徴とする請求項１記載の容器。
【請求項３】
香料を保存する部分が貫通孔である細孔を複数有している基材と、
前記細孔を覆うように前記基材に積層したシール状の遮蔽体とからなる容器において、前記容器に前記細孔の間を区切るように設置された分離部を有することを特徴とする請求項１または２のいずれかに記載の容器。
【請求項４】
請求項３の容器において、分離部で区切られた基材上の細孔の総容積が一定であることを特徴とする容器。
【請求項５】
香料を請求項１至４記載の容器の細孔に貯蔵することを特徴とする芳香剤。
【請求項６】
香料を保存する部分が貫通孔である細孔を有している基材の細孔と香料を、接するもしくは浸す工程と、
前記基材の細孔に香料を毛細管現象によって注入する工程と、
前記基材の細孔と香料を引き離す工程と、
前記基材の細孔を覆うようにシール状の遮蔽体で封をする工程と、
からなることを特徴とする芳香剤の製造方法。
【発明の詳細な説明】
【技術分野】
【０００１】
本発明は、植物から抽出された精油、または芳香材料からなる香料を保存する容器と前記容器を用いた芳香剤と芳香剤の製造方法に関する。
【背景技術】
【０００２】
近年、アロマセラピーが、多くの人によって楽しまれている。アロマセラピーは、香料を用いて心身の健康の向上を行うというものである。例えば、香料の使い方は、ティーカップ等に熱湯を入れ、目的に応じた効果のある香料を落とし、立ち上がる香りを吸入する方法、または大きめの容器に水または適温の湯を張り目的に応じた効果のある香料を落とし、タオル等に染み込ませて湿布する方法などがある。
【０００３】
香料は、一般にガラス瓶に保存されている。ガラス瓶は、安価であること、遮光性、抗酸化性、耐腐食性の点が優れているという利点のために保存容器として選ばれている。しかし一方、ガラス瓶は、輸送中の破損、多量に保存されていることによる香料への引火や香料の誤飲の可能性がある。また、薄型や極小型の容器などの３ｍｌ以下の小さな容器が利用できないため携帯性が悪いという欠点がある。
【０００４】
また、ガラス瓶に保存された香料は、取り扱いが煩雑になるという欠点がある。香料を熱により気化拡散させる器具や香料を超音波等により微粒子化して拡散させる器具などの一般に広くアロマセラピーで使用される器具では、１回のアロマセラピーに使用される香料の量は、香料の量が少ないと芳香の効果が小さく、香料の量が多いと芳香が強すぎて気分が悪くなるなどの傾向があるために、０．１~０．３mLと微量である。そのため、スポイトやドロッパーで１回分の香料をガラス瓶から取り出して都度計量して使用する必要があって、取り扱いが煩雑である。
【０００５】
特許文献１、または２では、多孔質体を用いた芳香剤が提案されている。前記二つの特許文献の発明は、香料が含浸された多孔質体を収納容器に収納した構造の芳香剤に関するものである。前記二つの特許文献の発明は、香料を多孔質に含浸させることで、香料の空気中への拡散速度を遅くし、香料を長期間徐放するというものである。
【先行技術文献】
【特許文献】
【０００６】
【特許文献１】特開平５−１９２２２２号公報
【特許文献２】特開２００５−４０２０７号公報
【発明の概要】
【発明が解決しようとする課題】
【０００７】
前記二つの特許文献の発明の芳香剤は、保管時や携帯時では、多孔質体を収納容器に収納するという形態であるため、ガラス瓶と同様に大きな構造を必要として携帯性が悪い。さらには、香料が多孔質体から揮発して収納容器の壁面に大きい微粒子となって付着することで香料の表面積が増加するため、空気や光で劣化する可能性が高くなる。特許文献２では、香料の劣化をしにくくするために、多孔質体として香料の空気中への拡散速度の遅い硬質多孔体なるものを使用しているが、多孔質体であることには変わらないため、程度の差こそあれ、空気や光で劣化する可能性が高くなる。また、前記二つの特許文献の発明の芳香剤は、大きな構造であることや含浸した香料は常に徐放していて量が不定であることで多孔質体中の香料の量を調整することができないことで、前記した一般に広くアロマセラピーで用いられている器具で利用できない。したがって、前記二つの特許文献の発明の芳香剤は、ガラス瓶に保存された香料を使用する場合に生じていた取り扱いの煩雑さを解消することはできない。
【０００８】
そこで本発明は、このような事情に鑑みてなされたものであり、携帯性が良く、取り扱いが容易であることを特徴とする、香料の保存容器を提供することを目的とする。
【課題を解決するための手段】
【０００９】
本発明は、香料を保存する部分が貫通孔である細孔を有している基材と、前記細孔を覆うように前記基材に積層したシール状の遮蔽体とからなる容器を提供するものである。
【００１０】
前記容器は、前記基材自体に貫通させた細孔に香料を保存してシール状の遮蔽体で封をするだけであり、特許文献１、または２の発明の芳香剤で必要とされた収納容器が不要になるために携帯性が大きく向上する。また、前記二つの特許文献の発明の芳香剤では、香料が細孔から徐放されることで表面積の大きい微粒子になる状態変化が起こっていたが、本発明の香料を保存する容器では、香料が常に細孔に保存されているために前記状態変化が起きない。そのため、本発明の香料を保存する容器では、香料が空気や光で劣化する可能性が低くなる。
【００１１】
本発明は、前記細孔の半径が、０．１ｍｍ〜５mmであることを特徴とする容器を提供する。
【００１２】
このような構成によれば、前記細孔の半径が０．１ｍｍ〜５ｍｍであれば、表面張力の大小に関わらず、一般に使われるほとんどの香料で毛細管現象を利用して細孔に香料を注入できる。
【００１３】
本発明は、香料を保存する部分が貫通孔である細孔を複数有している基材と、
前記細孔を覆うように前記基材に積層したシール状の遮蔽体とからなる容器において、容器に前記細孔の間を区切るように設置された分離部を有することを特徴とする容器を提供する。
【００１４】
このような構成によれば、分離部を有することで、一つの基材を複数回に分けて使用することができて利便性が向上し、取り扱いが容易になる。
【００１５】
本発明は、前記分離部を有する容器において、分離部で区切られた基材上の細孔の総容積が一定であることを特徴とする容器を提供する。
【００１６】
このような構成によれば、前記分離部を有する容器では、アロマセラピー時に香料を量り取る必要がなくなり利便性が向上し、取り扱いが容易になる。具体的には、前記分離部を有する容器は、ガラス瓶で生じていた取り扱いの煩雑さを解消することができる。前記分離部を有する容器の分離後の一つの容器に、アロマセラピー１回分の０．１~０．３mLの香料を担持させ、前記容器からシール状の遮蔽体を剥がした後に、香料を熱により気化拡散させる器具や香料を超音波等により微粒子化して拡散させる器具に本発明の基材を直接投入すれば、スポイトやドロッパーなどの滴下口により１回分の香料を都度計量する必要がなくなるため一般に広くアロマセラピーで用いられている器具で生じていた取り扱いの煩雑さを解消することができる。
【００１７】
本発明は、香料を前記細孔に貯蔵することを特徴とする芳香剤を提供する。
【００１８】
このような構成によれば、本発明の芳香剤は、携帯性が良く、取り扱いが容易である。
【００１９】
本発明は、香料を保存する部分が貫通孔である細孔を有している基材の細孔と香料を、接するもしくは浸す工程と、前記基材の細孔に香料を毛細管現象によって注入する工程と、前記基材の細孔と香料を引き離す工程と、前記基材の細孔を覆うようにシール状の遮蔽体で封をする工程と、からなることを特徴とする芳香剤の製造方法を提供する。
【００２０】
このような構成によれば、前記製造方法では、全ての細孔に迅速かつ定量に香料を注入することができるようになる。
【発明の効果】
【００２１】
本発明は、前記基材自体に貫通させた細孔に香料を保存しシール状の遮蔽体で封をするだけであり、特許文献１、または２で必要であった収納容器が不要になるために携帯性が大きく向上する。また、特許文献１、または２のように香料が細孔から徐放されることで表面積の大きい微粒子になる状態変化が、香料が常に細孔に保存される本発明には無いので、香料が空気や光で劣化する可能性が低くなる。さらに、一つの基材に香料を担持できる量は任意に決定することができるが、一つの基材にアロマセラピー一回分の０．１~０．３mLの香料を担持させ、前記基材からシール状の遮蔽体を剥がした後に、香料を熱により気化拡散させる器具や香料を超音波等により微粒子化して拡散させる器具に基材を直接投入すれば、スポイトやドロッパーなどの滴下口により１回分の香料を都度計量する必要がなくなるため、一般に広くアロマセラピーで用いられている器具で生じていた取り扱いの煩雑さを解消することができる。
【図面の簡単な説明】
【００２２】
【図１】本発明の香料保存容器の断面の模式図である。
【図２】本発明の香料保存容器（シール状の遮蔽体の剥離前）の外観の模式図である。
【図３】本発明の香料保存容器（シール状の遮蔽体の剥離後）の外観の模式図である。
【図４】本発明の分離部を有する香料保存容器（シール状の遮蔽体の剥離前、もしくは後）の外観の模式図である。
【図５】本発明の香料保存容器の変形例の模式図である。
【図６】本発明の製造方法の変形例の模式図である。
【発明を実施するための形態】
【００２３】
〔第一実施態様〕
以下、本発明を図示する実施形態に基づいて説明する。図１は、本発明の一実施例に係る香料保存容器の断面の一態様を示す図である。１は基材であり、図１に描かれているような基材１に貫通する細孔２を有していて、前記細孔２を覆うようにシール状の遮蔽体４、５が形成されているものである。
【００２４】
（基材）
基材１の素材は、ガラス、ケイ素、アルミ等の無機物、またはＰＥＴ、ＰＰ、ポリアミド、メラミン樹脂、ウレタン樹脂などの高分子化合物、紙等が好ましいが、封入する液体香料などが浸透せず、また接触しても性質が変化しない耐溶性があることが望ましい。また基材１の素材は液体香料に対し、接触角が小さくぬれやすい素材であればどのようなものでもよい。基材１の素材と封入する液体香料の接触角は、通常０°〜８５°の範囲内、好ましくは０°〜４５°の範囲内にあればよい。これは、接触角が大きいほど毛細管現象による液体の遡上高さが低くなり、９０°を越えると遡上しなくなるためである。
【００２５】
基材１の大きさは、携帯性の観点からクレジットカード程度までの面積で10mm程度までの高さを有する程度が好ましいが、１回のアロマセラピーで使用される量の香料が保存できるのであればどのような大きさでもよい。
【００２６】
基材１の形状は、カード形状のほか、円形、楕円形、星形、球形など、細孔２を有することが可能な形状であればどのような形状でもよい。さらには、細孔２を設けられるならば、基材１の細孔２に接触しない部分が中空構造を有していてもよい。また、基材１の形状は、意匠性が問われることが多いので、意匠性がよいものが好ましい。
【００２７】
（細孔）
図１では、細孔２は、基材１に対して垂直に位置しているが、香料を担持できるのであれば細孔２は基材１に対してどのような角度でもよい。
【００２８】
細孔２の数は、態様によって様々な場合が考えられるため、一つであっても複数であってもよい。
【００２９】
細孔２の形状は、円形、楕円形、星形、四角形など、香料が入る形状ならばどのような形状でもよいが、特に毛細管現象を利用できる形状が好ましい。
【００３０】
細孔２の大きさは、基材１に一つまたは複数の細孔２を設けた場合に少なくとも一回のアロマセラピーで使用する香料の量を保存できる大きさが確保できるのであればどの程度の大きさでもよい。具体的には、式（１）を満たす条件で、細孔２の半径は通常０．１ｍｍ〜５ｍｍの範囲内、好ましくは０．２５ｍｍ〜３ｍｍの範囲内、より好ましくは０．５ｍｍ〜１．５ｍｍの範囲内にあればよい。また、細孔２の高さは式（１）を満たす条件で通常０．５ｍｍ〜１５ｍｍの範囲内、好ましくは０．７ｍｍ〜１０ｍｍの範囲内、より好ましくは１ｍｍ〜５ｍｍの範囲内、さらに好ましくは１．５ｍｍ〜３ｍｍの範囲内にあればよい。細孔２は、香料で容積一杯に満たされなくともよい。前記細孔２の半径や高さの範囲は、香料が毛細管現象で細孔２を遡上できるならばどのような範囲でもよいが、多くの香料の表面張力Tが０．０２〜０．０３Ｎ／ｍの範囲内にあることと、細孔２をシールする際、細孔径が小さいほうがシール材の変形や破れによる漏れの可能性が少なく、またシールの粘着強度が高くなること、携帯性を考慮して厚さを抑えること、孔全体の面積が基材の表面面積の２分の１を越えないようにし、基材強度を保つことなどを鑑みて、前記細孔２の半径や高さの範囲は上記範囲内にあることが好ましい。毛細管現象によって香料が細孔２を遡上する高さh(m)は、式（１）で求めることができる。
【００３１】
・・・・・・・・・（１）
T  = 表面張力 (N/m)
θ = 接触角
ρ = 香料の密度 (kg/m3) 
g  = 重力加速度 (m/s2) 
r  = 細孔の内径（半径） (m)
基材１への細孔２の形成は、鋳型を用いる方法、加熱によって打ち抜く方法、レーザーにより加工する方法、物理的に打ち抜く方法の他、エッチングやフォトリソなどの既存の手法を用いることができる。
【００３２】
（シール状の遮蔽体）
図２、３は、本発明の一実施例に係る香料保存容器（シール状の遮蔽体の剥離前、もしくは後）の外観の一態様を示す図である。
【００３３】
シール状の遮蔽体４、５は基材１の細孔２のある面に加工されている。シール状の遮蔽体４、５は、粘着力を有する遮蔽体であっても、粘着力のない遮蔽体に粘着力のある粘着体を加工した構成であってもよい。シール状の遮蔽体４、５の素材は、酸素や水、または香料などに対して不活性でガスバリア性を有していて、遮光性を有していて、かつ基材１に対して再剥離性の粘着力を有していればどのようなものでもよい。遮蔽体の具体的な材料としてはPP基材にアルミニウム薄膜やPEを積層したフィルム、粘着材の具体的な材料としてはアクリル樹脂系接着剤やスチレンブタジエンゴム系接着剤等が挙げられる。
【００３４】
〔第二実施態様〕
図４は、本発明の一実施例に係る分離部３を有する香料保存容器（シール状の遮蔽体の剥離前、もしくは後）の外観の一態様を示す図である。１は基材であり、図１に描かれているような基材１に貫通する細孔２を有していて、前記細孔２を覆うようにシール状の遮蔽体４、５が形成されていて、分離部３が形成されているものである。
【００３５】
（分離部）
図４では、分離部３で区切られた基材１上の細孔２の総容積が一定であり、基材１に貫通した細孔２を有するカード形状の基材１が表示されている。分離部３の構造は、ミシン目や粘着層、ハーフカットなどで、基材を適切に分離できるような構造にしてあればどのようなものでもよい。分離部３の態様は、基材を適切に分離できるのであればどのような態様でもよい。分離部３で区切られた基材１上の細孔２の総容積は、一定である場合もあるし、態様によっては一定でない場合も考えられる。
【００３６】
〔芳香剤〕
本発明での芳香剤は、前記容器の細孔に香料を貯蔵したものである。
【００３７】
（芳香剤の香料）
香料は、アロマセラピーで一般に広く使用される植物性の精油、エッセンシャルオイルが好適であるが、動物性や化学的に合成された香料、香水でもよい。また、香料は、１種のみの使用であっても、複数種を混合して使用してもよい。さらには、多種多様な香料の組合せが存在するので、香料は細孔２ごとに違うものを注入してもよい。
【００３８】
本発明に使用する精油としては、例えば、イランイラン精油、ゼラニウム精油、ラベンダー精油、ジャスミン精油、カモミール精油、ラベンティン精油、ヒソップ精油、ローズ精油、ネロリ精油、シダーウッド精油、ユーカリ精油、サイプレス精油、ヒノキ精油、サンダルウッド精油、ジュニパー精油、ティートリー精油、パイン精油、パチュリ精油、オレンジ精油、グレープフルーツ精油、ライム精油、レモングラス精油、レモン精油、シトロネラ精油、ベルガモット精油、ペパーミント精油、ローズマリー精油、クラリセージ精油、クローブ精油、タイム精油、フェンネル精油、マジョラム精油、メリッサ精油、ローズウッド精油、バジル精油、バテ精油、シナモン精油等の天然の精油が挙げられる。
【００３９】
前記精油に含まれる有効成分としては、例えば、カンフェン、メンテン、ミルセン、フェランドレン、カレン、テルピノレン、テルピネン、シメン、オシメン、ジペンテン、リモネン、アロマデンドレン、ピネン、カマズレン、ファルネセン、ビザボレン、カリオフィレン、カンホレン、ボルネオール、リナロール、シトロネロール、テルピネオール、ビサボロール、サンタロール、カルバクロール、スクラレオール、チモール、オイゲノール、アネトール、サフロール、エストラゴール、シトロネラール、桂皮アルデヒド、シトラール、シトロネラール、ノナナール、酢酸リナリル、酢酸ベンジル、酢酸ゲラニル、サリチル酸メチル、メントール、メントン、ジャスモン、カンファー、シネオール、ツヤノール、テルピネオール、テルピネノール、ゲラニオール、ネロール、カロトール、セドロール、ビリジフロロール、アピオール、スクラレオールオキサイド、マノイルオキサイドなどが挙げられる。
【００４０】
（芳香剤の製造方法）
図１の容器に香料を保存した芳香剤の製造方法は、基材１の細孔２と基材１より大きい容器に入っている香料を、接するもしくは浸っている状態にして前記基材１の細孔２に香料を毛細管現象によって注入し、前記基材１の細孔２と香料を引き離して、前記基材１の細孔２を覆うようにシール状の遮蔽体４、５で封をするというものである。
【００４１】
（基材と香料の接触）
基材１の細孔２と香料が接するもしくは浸っている状態とは、ボウルなどの基材１より大きい容器に入っている香料に向かって、基材１を移動させていくことで生じる状態のことを意味する。
【００４２】
（香料の注入法）
細孔２に香料を注入する方法は、毛細管現象などの液体の表面張力を利用した方法が好ましいが、基材１を大量の香料中に挿入することで細孔２に注入する方法、ひとつひとつの細孔２に香料を直接注入する方法なども考えられる。
【００４３】
（シール状の遮蔽体による封）
細孔２に香料を注入したあとに、シール状の遮蔽体４、５によって封をする。香料と基材を接する状態にし、上面（香料と接触していなかった面）を封し、基材を香料から取り出し、下面（香料と接触していた面）の香料掻き落として、下面を封するという順序が好ましいが、態様によっては前記と逆の順序で封をしてもいいし、同時に封をしてもいい。
【００４４】
〔変形例１〕
図５は、図２至４の変形例である。この例のように、細孔２の形態は所望のものを利用することができるし、基材１の形も所望のものを利用することができる。図５以外にも、細孔２の形態は、香料を保存できるならば基材１のどの部分に存在する形態でもよい。また、基材１の形は、円形、楕円形、星形、球形など様々なパターンが考えられる。
【００４５】
〔変形例２〕
図６は、細孔に香料を注入する製造工程での変形例で、粘着層７ａ、７ｂと撥油性シート６ａ、６ｂを利用して細孔に香料を注入する製造工程での基材の一態様を示す図である。粘着層７ａ、７ｂ、撥油性シート６ａ、６ｂを細孔に香料を注入する際に利用することで、細孔をシール状の遮蔽体４、５で容易に封をすることができる。前記変形例の工程を組み込んだ製造方法は、基材の片側もしくは両側に粘着層７ａ、７ｂが形成してあって、前記粘着層７ａ、７ｂに撥油性のシート６ａ、６ｂが形成してあって、香料を保存する部分が貫通孔である細孔を有している構造物８の細孔と香料を、接するもしくは浸す状態にして、前記構造物８の細孔に香料を毛細管現象によって注入し、前記構造物８の細孔と香料を引き離して、前記撥油性のシート６ａ、６ｂと前記粘着層７ａ、７ｂを剥がし、前記基材の細孔を覆うようにシール状の遮蔽体４、５で封をするという特徴を有する。
【００４６】
香料を注入したあとに基材の表面に残存する香料によってシール状の遮蔽体４、５の粘着力が弱まることによって細孔をシール状の遮蔽体４、５で封をすることが難しくなる可能性のある場合でも、注入時に基材に粘着層７ａ、７ｂと撥油性シート６ａ、６ｂを設けることで基材の表面に香料が付着することを防ぐことができ、注入後に粘着層７ａ、７ｂと撥油性シート６ａ、６ｂを剥がすことで、細孔をシール状の遮蔽体４、５で容易に封をすることができるようになる。
【００４７】
撥油性シート６ａ、６ｂと粘着層７ａ、７ｂは、基材の上下の片側だけで充分であるが、態様によっては両側にあってもよい。撥油性シート６ａ、６ｂの素材は、ガラス、ケイ素、アルミ、プラスチック等の高分子化合物等で、液体香料などに対して接触角が大きくぬれにくい素材であるならばどのようなものでもよい。粘着層７ａ、７ｂの粘着力は、基材に対して再剥離性であればどのような粘着力でもよい。粘着層７ａ、７ｂの素材は、基材に対して再剥離性であればどのような素材でもよい。
【実施例】
【００４８】
［実施例１］
縦４０ｍｍ横６０ｍｍ厚さ２ｍｍのアルミ板に、レーザー加工により半径０．７５ｍｍの貫通孔を、縦横方向に２ｍｍ間隔で、縦７個横８個、計５６個を設置した基材を用意した。また、ガスバリア性と遮光性を有する、PET基材にPEとアルミをコートした層構造のシートに、スチレンブタジエンゴム系接着剤を片面に塗布し、シール状遮蔽体として、基材と縦横同サイズのシール状遮蔽体を２枚準備した。シャーレにラベンダー精油を１ｍｌ滴下し、前記基材と精油を静かに接触させて細孔内に精油を注入させた後、前記基材の精油非接触面にシール状遮蔽体１枚で封をした。次に基材を精油から取り出し、裏返してフッ素加工されたブレードで基材上に残った精油を掻き落とした後、もう1枚のシール状遮蔽体１枚で封をした。３日後、シール状遮蔽体を２枚とも開封し、別のシャーレに基材の内容精油を取り出してピペットで液量を測定した結果、０．１８ｍｌのラベンダー精油を取り出すことができた。基材とシール状遮蔽体、及び内容精油の顕著な成分変化は観測されなかった。
【００４９】
［実施例２］
縦２５ｍｍ横３０ｍｍ厚さ５ｍｍのPET板に、レーザー加工により半径０．２５ｍｍの貫通孔を、縦横方向に１ｍｍ間隔で、縦１２個横１７個、計２０４個を設置した基材を用意した。また、ガスバリア性と遮光性を有する、PET基材にPEとアルミをコートした層構造のシートに、スチレンブタジエンゴム系接着剤を片面に塗布し、シール状遮蔽体として、基材と縦横同サイズのシール状遮蔽体を２枚準備した。シャーレにティートリー精油を１ｍｌ滴下し、前記基材と精油を静かに接触させて細孔内に精油を注入させた後、前記基材の精油非接触面にシール状遮蔽体１枚で封をした。次に基材を精油から取り出し、裏返してフッ素加工されたブレードで基材上に残った精油を掻き落とした後、もう1枚のシール状遮蔽体１枚で封をした。３日後、シール状遮蔽体を２枚とも開封し、別のシャーレに基材の内容精油を取り出してピペットで液量を測定した結果、０．１９ｍｌのティートリー精油を取り出すことができた。基材とシール状遮蔽体、及び内容精油の顕著な成分変化は観測されなかった。
【００５０】
［実施例３］
縦８０ｍｍ横１２０ｍｍ厚さ２ｍｍのアルミ板にレーザー加工により半径０．７５ｍｍの貫通孔を縦横方向に２ｍｍ間隔で縦１４個横１６個、計２２４個を設置した基材と、前記貫通孔の口付近を覆うように配置された再剥離性のポリウレタン系粘着剤層とアルミニウム層からなる遮蔽体と、貫通孔と交差しないで縦４０ｍｍ横６０ｍｍの長方形となり四等分するように設置されたミシン目からなる分離部と、からなる容器を用意した。前記容器の分離部から容器を四つに分離し、縦４０ｍｍ横６０ｍｍ厚さ２ｍｍのアルミ板にレーザー加工により半径０．７５ｍｍの貫通孔を縦横方向に２ｍｍ間隔で縦７個横８個、計５６個を設置した基材と、前記貫通孔の口付近を覆うように配置された再剥離性のポリウレタン系粘着剤層とアルミニウム層からなる遮蔽体と、からなる容器を用意した。四つに分離した前記容器の、前記遮蔽体を剥がすことによって前記基材と前記遮蔽体を分離した。シャーレにフェンネル精油を５ｍｌ滴下し、前記基材と前記精油を静かに接触させて貫通孔からなる細孔内に精油を注入させた後、前記基材の精油非接触面に前記遮蔽体１枚で封をした。次に前記基材を精油から取り出し、裏返してフッ素加工されたブレードで基材上に残った精油を掻き落とした後、もう1枚の前記遮蔽体１枚で封をした。３日後、シール状遮蔽体を２枚とも開封し、別のシャーレに基材の内容精油を取り出してピペットで液量を測定した結果、０．１８ｍｌのフェンネル精油を取り出すことができた。基材とシール状遮蔽体、及び内容精油の顕著な成分変化は観測されなかった。
【００５１】
［実施例４］
縦２５ｍｍ横３０ｍｍ厚さ５ｍｍのPET板にレーザー加工により半径０．２５ｍｍの貫通孔を貫通孔同士が接続しない程度にランダムで縦１２個横１７個、計２０４個を設置した基材と、前記貫通孔の口付近を覆うように配置された再剥離性のポリウレタン系粘着剤層とアルミニウム層からなる遮蔽体と、からなる容器を用意し、前記遮蔽体を剥がすことによって前記基材と前記遮蔽体を分離した。シャーレにローズウッド精油を３ｍｌ滴下し、前記基材と精油を静かに接触させて細孔内に精油を注入させた後、前記基材の精油非接触面に前記遮蔽体１枚で封をした。次に前記基材を精油から取り出し、裏返してフッ素加工されたブレードで基材上に残った精油を掻き落とした後、もう1枚の前記遮蔽体１枚で封をした。３日後、シール状遮蔽体を２枚とも開封し、別のシャーレに基材の内容精油を取り出してピペットで液量を測定した結果、０．１９ｍｌのローズウッド精油を取り出すことができた。基材とシール状遮蔽体、及び内容精油の顕著な成分変化は観測されなかった。
【符号の説明】
【００５２】
１…基材
２…細孔
３…分離部
４、５…シール状の遮蔽体
６ａ、６ｂ…撥油性シート
７ａ、７ｂ…粘着層
８…構造物
【図１】
2011224276.tif 000003
【図２】
2011224276.tif 000004
【図３】
2011224276.tif 000005
【図４】
2011224276.tif 000006
【図５】
2011224276.tif 000007
【図６】
2011224276.tif 000008